(57)【要約】【課題】中継コネクタの接続端子の構造が簡単になっているカード用コネクタ組立体を提供する。【解決手段】本発明は、第１ハウジングと、前記第１ハウジングに突出した延出部及び延出部から折曲がって回路基板へ下向きに延出するように形成される第１接続部を有する第１導電端子と、を含む第１カード用コネクタと、第２ハウジングと、前記第２ハウジングに突出した延出部及び延出部から折曲がって回路基板へ下向きに延出するように形成される第２接続部を有する第２導電端子と、を含む第２カード用コネクタと、収容本体を有するハウジングと、前記ハウジングに装着される接続端子と、を有する中継コネクタとを含む回路基板に実装するカード用コネクタ組立において、前記第１接続部及び第２接続部は一列で配置され、前記接続端子は前記第１接続部及び第２接続部にスライド可能に接続するように、前記中継コネクタの収容本体の側壁に露出する接触部を有する【選択図】図６
2009016345.tif 000002
【特許請求の範囲】
【請求項１】
第１ハウジングと、前記第１ハウジングに突出した延出部及び該延出部から折曲がって回路基板へ下向きに延出するように形成される第１接続部を有する第１導電端子と、を含む第１カード用コネクタと、
第２ハウジングと、前記第２ハウジングに突出した延出部及び該延出部から折曲がって回路基板へ下向きに延出するように形成される第２接続部を有する第２導電端子と、を含む第２カード用コネクタと、
収容本体を有するハウジングと、前記ハウジングに装着される接続端子と、を有する中継コネクタと
を含む回路基板に実装するカード用コネクタ組立において、
前記第１接続部及び第２接続部は一列に配置され、前記接続端子は前記第１接続部及び第２接続部にスライド可能に接続するように、前記中継コネクタの収容本体の側壁に露出する接触部を有することを特徴とするカード用コネクタ組立体。
【請求項２】
前記接続端子の接触部は、前記収容本体に干渉するように保持された突出部と、前記収容本体に当接するための支持部と、前記第１接続部及び第２接続部に当接するための当接部と、前記当接部及支持部とを連接する弾性部と、を有することを特徴とする、請求項１に記載のカード用コネクタ組立体。
【請求項３】
前記第２ハウジングの先端には、前記中継コネクタを部分に収容するための受容凹部が形成された保持部材が設けられ、前記受容凹部は前壁及び後壁を有し、前記第１接続部及び第２接続部は前記前壁または後壁に貼付けられることを特徴とする、請求項１に記載のカード用コネクタ組立体。
【請求項４】
前記保持部材には、前記第１接続部及び第２接続部に収容するための保持孔が形成されることを特徴とする、請求項３に記載のカード用コネクタ組立体。
【請求項５】
前記保持部材は、前記第２ハウジングに一体に成型されることを特徴とする、請求項３に記載のカード用コネクタ組立体。
【請求項６】
前記保持部材は、前記第２ハウジングと別部品として成型されることを特徴とする、請求項３に記載のカード用コネクタ組立体。
【発明の詳細な説明】
【技術分野】
【０００１】
本発明は、カード用コネクタ組立体に関し、回路基板に実装することが可能なカード用コネクタ組立体に関するものである。
【背景技術】
【０００２】
従来技術は特許文献１に示すように、回路基板に実装できるカード用コネクタ組立体に掲示され、導電コンタクトを有する電気コネクタと、該電気コネクタと回路基板を電気的に接続するための中継コネクタと、を含む。中継コネクタはハウジングと、ハウジングに装着される接続端子とを有し、前記接続端子は、本体部と、本体部から折曲って延出するように回路基板に接続するための半田付け部と、本体部から上向きに延出するように電気コネクタの導電コンタクトに接続するための接触部とを有する。前記接続端子の接触部は、本体部の両側からそれぞれ上向きに延出するように対向した両弾性アームと、弾性アームの末端にそれぞれ形成されたコンタクト部とを有する。電気コネクタの導電コンタクトが中継コネクタの接続端子に接続する際に、導電コンタクトの接続部は前記中継コネクタの両弾性アームの間に形成された収容空間に挿入し、前記両コンタクト部が導電コンタクトの接続部を挟むことによって、電気コネクタと中継コネクタとの間の電気的に接続を達成できる。
【特許文献１】中国実用新案登録第２７９８３４３号公報
【発明の開示】
【発明が解決しようとする課題】
【０００３】
しかしながら、特許文献１に掲示されたカード用コネクタ組立体において、電気コネクタの導電コンタクトが中継コネクタの接続端子のコンタクト部に挟まれることで、挿入力が大きくなって、電気コネクタの導電コンタクト及び中継コネクタの接続端子が摩損される可能性が増大する問題がある。そこで、上記欠点に鑑みて、新型なカード用コネクタを開発することが必要である。
【０００４】
本発明は、中継コネクタの接続端子の構造が簡単になっているカード用コネクタ組立体を提供することを目的とする。
【課題を解決するための手段】
【０００５】
前記目的を達成するために、本発明は、第１ハウジングと、前記第１ハウジングに突出した延出部及び延出部から折曲がって回路基板へ下向きに延出するように形成される第１接続部を有する第１導電端子と、を含む第１カード用コネクタと、第２ハウジングと、前記第２ハウジングに突出した延出部及び延出部から折曲がって回路基板へ下向きに延出するように形成される第２接続部を有する第２導電端子と、を含む第２カード用コネクタと、収容本体を有するハウジングと、前記ハウジングに装着される接続端子と、を有する中継コネクタとを含む回路基板に実装するカード用コネクタ組立において、前記第１接続部及び第２接続部は一列で配置され、前記接続端子は前記第１接続部及び第２接続部にスライド可能に接続するように、前記中継コネクタの収容本体の側壁に露出する接触部を有する。
【発明の効果】
【０００６】
従来の技術に比べると、本発明は以下の長所がある。第１カード用コネクタの第１接続部及び第２カード用コネクタの第２接続部は中継コネクタの接続端子にスライド可能に接続することで、挿入力が減少され、摩損の可能性が低減される。また、中継コネクタの接続端子が金属板で一回の打ち抜き加工だけにより成型されることで、製造コストが低減になっている。
【発明を実施するための最良の形態】
【０００７】
図１〜図６に基づいて、本発明のカード用コネクタ組立体１００について説明する。カード用コネクタ組立体１００は、第１カード用コネクタ１、第２カード用コネクタ２、および第１、第２カード用コネクタ１、２を電気的に接続するための中継コネクタ３を含む。
【０００８】
図１〜図３を参照すると、第１カード用コネクタ１は、第１シールド１１と、その第１シールドに覆われる第１ハウジング１２と、第１ハウジング１２に実装される複数の第１導電端子１３と、含む。第１シールド１１は、基板１１１と、基板１１１の両側からそれぞれ折曲がるように延出した側板１１２と、基板１１１及ぶ側板１１２による形成され、第１カードを収容するための収容空間１０と、を有する。収容空間１０は第１カードを挿入するための挿入口（参照記号なし）が設けられ、挿入口を設けられた一端が前端であり、対向した他端は後端である。前記収容空間１０は、ハウジング１２に連接するガイド部材１４を有し、ガイド部材１４によって、収容空間１０は幅狭の前端と幅広の後端が画成される。第１ハウジング１２は幅狭の前端に位置している。複数の第１導電端子１３は、第１ハウジング１２に保持され、第１ハウジング１１を突出した延出部１３１及び延出部１３１から折曲がって回路基板へ下向きに延出した第１接続部１３２を有する。
【０００９】
第２カード用コネクタ２は、第２シールド２１と、第２ハウジング２２と、第２シールド２１に保持される第２導電端子２３とを有する。前記導電端子２３は、第２カード用コネクタ２を突出した第２延出部２３１及び延出部２３１から回路基板へ下向きに延出した第２接続部２３２を有する。
【００１０】
第２ハウジング２２の先端に保持部材４が一体に成型され、該保持部材４は、第１導電端子１３の第１接続部１３２及び第２導電端子２３の第２接続部２３２を収容するための一列保持孔４１と、中継コネクタ３を収容するための受容凹部４２と、を含み、受容凹部４２は前壁４２１及び後壁４２２とを有する。前記第１接続部１３２及び第２接続部２３２は、一列で保持孔４１を挿通し前壁４２１または後壁４２２に同時に貼付けられている。
【００１１】
図３乃至図６を参照すると、中継コネクタ３は、ハウジング３１及びハウジング３１に保持する接続端子３２とを有する。ハウジング３１は、平板状の基部３１１と、基部３１１の上下両側に位置する収容本体３１２及び位置決め部３１３と、を含む。接続端子３２は、一列で配置されるように同一の金属板で一回の打ち抜け加工だけにより成型され、回路基板に半田付けされる半田付け部３２５、及びハウジング３１に収容され、収容本体３１２の両側に露出する接触部３２６を有する。接触部３２６はハウジング部３１に干渉するように保持する突出部３２４と、第１接続部１３２及び第２接続部２３２に接触するための当接部３２３と、ハウジング３１に当接した支持部３２２と、当接部３２３と支持部３２２を連接するための弾性部３２１とを含む。
【００１２】
中継コネクタ３が第１カード用コネクタ１及び第２カード用コネクタ２に接続する際において、中継コネクタ３が保持部材４の受容凹部２４に挿入され、接続端子３２の弾性部３２１の弾性的な変形によって、当接部３２３を第１接続部１３２及び第２接続部２３２にスライドさせて接続させる。第１導電端子１３及び第２導電端子２３が接続端子３２にスライド可能に接続することによって、挿入力が有効に減少され、第１導電端子１３、第２導電端子２３、接続端子３２の摩損が減少されている。また、中継コネクタ３の接続端子３１が金属板で一回の打ち抜け加工だけにより成型されることで、製造コストが低減されている。
【００１３】
以上本発明について好適な実施の形態を参照して詳細に説明したが、実施形態はあくまでも例示的なものであり、これらに限定されるものではない。例えば、保持部材４が第２ハウジングと別部品として配置されてもよい。もちろん、第１接続部１３２及び第２接続部２３２は二列で受容凹部４２の前壁及び後壁にそれぞれ貼付けられて得る。また前記の説明は、本発明に基づきなしうる細部の修正或は変更など、いずれも本発明の請求範囲に属するものとする。
【図面の簡単な説明】
【００１４】
【図１】本発明に係るカード用コネクタ組立体の組立斜視図である。
【図２】本発明に係るカード用コネクタ組立体の分解平面図である。
【図３】図１に示すカード用コネクタ組立体の他の角度から見た組立斜視図である。
【図４】本発明に係るカード用コネクタ組立体の中継コネクタの分解平面図である。
【図５】図１に示すカード用コネクタ組立体のＡ-Ａ線に沿う断面図である。
【図６】図５に示すカード用コネクタ組立体の点線で示す部分の拡大図である。
【符号の説明】
【００１５】
１００  カード用コネクタ組立体
１  第１カード用コネクタ
２  第２カード用コネクタ
３  中継コネクタ
４  保持部材
１１  第１シールド
１２  第１ハウジング
１３  第１導電端子
１３１、２３１  延出部
１３２  第１接続部
１４  ガイド部材
２１  第２シールド
２２  第２ハウジング
２３  第２導電端子
２３２  第２接続部
３１  ハウジング
３２  接続端子
３１１  基部
３１２  収容本体
３１３  位置決め部
３２１  弾性部
３２２  支持部
３２３  当接部
３２４  突出部
３２５  半田付け部
３２６  接触部
【図１】
2009016345.tif 000003
【図２】
2009016345.tif 000004
【図３】
2009016345.tif 000005
【図４】
2009016345.tif 000006
【図５】
2009016345.tif 000007
【図６】
2009016345.tif 000008